(57)【要約】【課題】フォトダイオードから出力される複数の信号から互いに位相が反転する２つのＲＦ信号を生成する際に、これらの信号の特性差を低減すること。【解決手段】複数の信号ＳｉｇＡ〜ＳｉｇＤを合成した入力信号の電圧と基準電圧Ｖｃとをそれぞれ入力し、これらの電圧間の差に応じた電流Ｉａを差動出力する第１ノードＴ１及び第２ノードＴ２を有する差動アンプ41と、第１ノードＴ１に抵抗Ｒ15を介して接続される第１電圧Ｖ１を出力する第１電圧源42と、第２ノードＴ２に抵抗Ｒ16を介して接続される第２電圧Ｖ２を出力する第２電圧源43と、第１ノードＴ１及び第２ノードＴ２の電圧をそれぞれドライブする出力段44とを備える。【選択図】図４
2008109489.tif 000002
【特許請求の範囲】
【請求項１】
複数の信号を合成した入力信号の電圧と基準電圧とをそれぞれ入力し、これらの電圧間の差に応じた電流を差動出力する第１ノード及び第２ノードを有する差動アンプと、
前記第１ノードに第１負荷を介して接続される第１電圧を出力する第１電圧源と、
前記第２ノードに第２負荷を介して接続される第２電圧を出力する第２電圧源と、
前記第１ノード及び前記第２ノードの電圧をそれぞれドライブする出力段と、
を備えた信号処理回路。
【請求項２】
前記差動アンプは、第１トランジスタと第２トランジスタからなる一対のトランジスタと、これらのトランジスタのエミッタにそれぞれ接続された第１定電流源及び第２定電流源と、前記一対のトランジスタのエミッタ間に接続された抵抗と、前記一対のトランジスタのコレクタにそれぞれ接続された第３定電流源及び第４定電流源とを備えており、
前記第１トランジスタのベースに前記入力信号の電圧を入力し、前記第２トランジスタのベースに前記基準電圧を入力すると共に、前記第１トランジスタのコレクタを第１ノードとし、前記第２トランジスタのコレクタを第２ノードとする
ことを特徴とする請求項１に記載の信号処理回路。
【請求項３】
光ディスクに記録されたデータを再生する光ディスク装置において、
受光面が複数に分割され、前記光ディスクからの反射光を受光して前記受光面の分割数に対応した複数の信号を出力する光電変換部と、
前記複数の信号を合成した入力信号の電圧と基準電圧とをそれぞれ入力し、これらの電圧間の差に応じた電流を差動出力する第１ノード及び第２ノードを有する差動アンプと、
前記第１ノードに第１負荷を介して接続される第１電圧を出力する第１電圧源と、
前記第２ノードに第２負荷を介して接続される第２電圧を出力する第２電圧源と、
前記第１ノード及び前記第２ノードの電圧をそれぞれドライブする出力段と、
を備えたことを特徴とする光ディスク装置。
【発明の詳細な説明】
【技術分野】
【０００１】
本発明は、信号処理回路及びそれを備えた光ディスク装置に関する。
【背景技術】
【０００２】
従来より、ＣＤ（Compact Disc）やＤＶＤ（Digital Versatile Disk）などの光ディスクに記録されたデータを再生する光ディスク装置が広く知られている。
【０００３】
この光ディスク装置において、光ディスクに記録されているデータの読み取りは、光電変換回路及び信号処理回路を有するフォトディテクタ（ＰＤ）によって次のように行われる。
【０００４】
まず、レーザ光源から発せられる光ビームを光ディスクに記録面上にビームスポットとして照射する。フォトディテクタの光電変換回路は、照射したビーム光の光ディスクによる反射光を受光し、受光強度に応じた電圧を出力する。なお、光電変換回路は、複数に分割された受光面を有しており、光ディスクからの反射光を受光して受光面の分割数に対応した複数の信号を出力する。
【０００５】
信号処理回路では、光電変換回路の出力信号に対して種々の信号処理を施すことによって、フォーカスサーボやトラッキングサーボ等の各種サーボ制御を行い、光ディスクに記録されているデータを再生する（例えば、特許文献１参照）。
【０００６】
ここで、従来の信号処理回路において、光電変換回路から出力される複数の信号に基づいて、ＲＦ信号を生成する構成の一例について図面を参照して説明する。図６は従来の信号処理回路100におけるＲＦ信号を生成する構成を示す図である。なお、この信号処理回路100は、光電変換回路において生成される電圧信号であって、４分割された受光面それぞれに対応する入射光に応じた電圧信号（ＳｉｇＡ〜ＳｉｇＤ）を入力して互いに位相が反転したＲＦ＋信号及びＲＦ−信号を生成するものである。なお、これらＳｉｇＡ〜ＳｉｇＤは基準電圧Ｖｃを基準とする信号である。
【０００７】
図６に示すように、この信号処理回路100は、ＲＦ＋信号を生成して出力する第１ＲＦ回路101と、ＲＦ−信号を生成して出力する第２ＲＦ回路102とを有している。
【０００８】
第１ＲＦ回路101は、光電変換回路から出力されるＳｉｇＡ〜ＳｉｇＤを合成するための入力抵抗Ｒ100〜Ｒ103と、合成された信号を非反転増幅する差動アンプＡＭＰ100と、差動アンプＡＭＰ100の増幅率を調整する抵抗Ｒ109，Ｒ110と、ＲＦ＋信号の直流動作点を調整するための抵抗Ｒ108及びアンプＡＭＰ101とを備えている。
【０００９】
また、第２ＲＦ回路102は、光電変換回路から出力されるＳｉｇＡ〜ＳｉｇＤを合成するための入力抵抗Ｒ104〜Ｒ107と、合成された信号を反転増幅する差動アンプＡＭＰ102と、差動アンプＡＭＰ102の増幅率を調整する抵抗Ｒ112，Ｒ113と、ＲＦ−信号の直流動作点を調整するための抵抗Ｒ111及びアンプＡＭＰ103とを備えている。
【００１０】
このように構成された第１ＲＦ回路101及び第２ＲＦ回路102は共に光電変換回路から出力されるＳｉｇＡ〜ＳｉｇＤを入力抵抗Ｒ100〜Ｒ107を介して合成し、第１ＲＦ回路101において非反転の差動アンプＡＭＰ100によって増幅してＲＦ＋信号を、第２ＲＦ回路102において反転の差動アンプＡＭＰ102によってＲＦ−信号をそれぞれ出力する。なお、入力抵抗Ｒ100〜Ｒ107は同一抵抗値、抵抗Ｒ109とＲ112の抵抗値はＲ100の抵抗値の１／４、抵抗Ｒ108とＲ110とは同一抵抗値、抵抗Ｒ111とＲ113とは同一抵抗値としている。
【００１１】
ＲＦ＋信号及びＲＦ−信号を基準電圧Ｖｃを基準として生成すると、これらの信号のダイナミックレンジが十分にとることができない。そこで、これらの信号の直流動作点を調整するために、ボルテージフォロアを構成するアンプＡＭＰ101によって電圧Ｖ２を抵抗Ｒ108を介して出力し、ボルテージフォロアを構成するアンプＡＭＰ103によって電圧Ｖ１を抵抗Ｒ110を介して出力して、ＲＦ＋信号を電圧Ｖ２を基準として出力し、ＲＦ−信号を電圧Ｖ１を基準として出力するようにしている。
【特許文献１】特開２０００−２６９７６２号公報
【発明の開示】
【発明が解決しようとする課題】
【００１２】
しかしながら、上記従来の信号処理回路においては、第１ＲＦ回路101と第２ＲＦ回路102とで異なる差動アンプＡＭＰ100,ＡＭＰ102を有することになるため、これらの差動アンプＡＭＰ100,ＡＭＰ102の特性のばらつきにより、図７に示すように、第１ＲＦ回路101から出力されるＲＦ＋信号と第２ＲＦ回路102とから出力されるＲＦ−信号との間で周波数特性や群遅延特性などにおいて微妙な信号品質の違いがでてくる。この微妙な信号品質の違いにより、データとして使用できる周波数帯域が低くなってしまうなどの問題がある。
【００１３】
しかも、第１ＲＦ回路101と第２ＲＦ回路102とでそれぞれ別個の差動アンプＡＭＰ100,ＡＭＰ102を用いているために、差動アンプ２つ分のレイアウト面積が必要となっていた。
【課題を解決するための手段】
【００１４】
上記課題を解決するために、請求項１に記載の発明は、複数の信号を合成した入力信号の電圧と基準電圧とをそれぞれ入力し、これらの電圧間の差に応じた電流を差動出力する第１ノード及び第２ノードを有する差動アンプと、前記第１ノードに第１負荷を介して接続される第１電圧を出力する第１電圧源と、前記第２ノードに第２負荷を介して接続される第２電圧を出力する第２電圧源と、前記第１ノード及び前記第２ノードの電圧をそれぞれドライブする出力段とを備えた信号処理回路を提供することにした。
【００１５】
また、請求項２に記載の発明は、請求項１に記載の発明において、前記差動アンプは、第１トランジスタと第２トランジスタからなる一対のトランジスタと、これらのトランジスタのエミッタにそれぞれ接続された第１定電流源及び第２定電流源と、前記一対のトランジスタのエミッタ間に接続された抵抗と、前記一対のトランジスタのコレクタにそれぞれ接続された第３定電流源及び第４定電流源とを備えており、前記第１トランジスタのベースに前記入力信号の電圧を入力し、前記第２トランジスタのベースに前記基準電圧を入力すると共に、前記第１トランジスタのコレクタを第１ノードとし、前記第２トランジスタのコレクタを第２ノードとすることにした。
【００１６】
また、請求項３に記載の発明は、光ディスクに記録されたデータを再生する光ディスク装置において、受光面が複数に分割され、前記光ディスクからの反射光を受光して前記受光面の分割数に対応した複数の信号を出力する光電変換部と、前記複数の信号を合成した入力信号の電圧と基準電圧とをそれぞれ入力し、これらの電圧間の差に応じた電流を差動出力する第１ノード及び第２ノードを有する差動アンプと、前記第１ノードに第１負荷を介して接続される第１電圧を出力する第１電圧源と、前記第２ノードに第２負荷を介して接続される第２電圧を出力する第２電圧源と、前記第１ノード及び前記第２ノードの電圧をそれぞれドライブする出力段とを備えたことを特徴とする光ディスク装置を提供することにした。
【発明の効果】
【００１７】
本発明によれば、互いに位相が反転したＲＦ＋信号及びＲＦ−信号をその直流動作点をそれぞれ調整しつつも、同一の差動アンプを用いてその生成を行うことができるため、回路構成を同一のものとすることができ、従って、ＲＦ＋信号及びＲＦ−信号の周波数特性や群遅延特性などのＡＣ（交流）特性の違いを低減することができる。さらに、本発明によれば、差動アンプを共通化しているため、レイアウト面積を削減することができる。
【発明を実施するための最良の形態】
【００１８】
本実施形態における光ディスク装置は、光電変換回路と信号処理回路とを備えており、光電変換回路は、受光面が複数に分割され、光ディスクからの反射光を受光して受光面の分割数に対応した複数の信号を出力する。
【００１９】
また、信号処理回路は、光電変換回路から出力される複数の信号を合成した入力信号の電圧と基準電圧とをそれぞれ入力し、これらの電圧間の差に応じた電流を差動出力する第１ノード及び第２ノードを有する差動アンプと、第１ノードに第１負荷を介して接続される第１電圧を出力する第１電圧源と、第２ノードに第２負荷を介して接続される第２電圧を出力する第２電圧源と、第１ノード及び第２ノードの電圧をそれぞれドライブして互いに位相が反転したＲＦ＋信号及びＲＦ−信号を出力する出力段とを備えている。
【００２０】
このようにＲＦ＋信号用とＲＦ−信号用とでそれぞれ別個の差動アンプを用いるこなく、ＲＦ＋信号及びＲＦ−信号をその直流動作点をそれぞれ調整しつつも、出力することができるので、ＲＦ＋信号及びＲＦ−信号の周波数特性や群遅延特性などのＡＣ特性の違いを低減することができ、さらにレイアウト面積を削減することができる。
【００２１】
差動アンプとしては、例えば、第１トランジスタと第２トランジスタからなる一対のトランジスタと、これらのトランジスタのエミッタにそれぞれ接続された第１定電流源及び第２定電流源と、一対のトランジスタのエミッタ間に接続された抵抗と、一対のトランジスタのコレクタにそれぞれ接続された第３定電流源及び第４定電流源とを備え、第１トランジスタのベースに入力信号の電圧を入力し、第２トランジスタのベースに基準電圧を入力すると共に、第１トランジスタのコレクタを第１ノードとし、第２トランジスタのコレクタを第２ノードとすることにより、構成が複雑にならずにすむ。
【００２２】
以下、図面に基づいて本発明の一実施形態を詳説する。図１は、本実施形態の光ディスク装置１の概略構成図である。
【００２３】
本実施形態における光ディスク装置１は、図１に示すように、ＣＤ用の光信号であるレーザ光を出射するＣＤ用レーザダイオード２と、ＤＶＤ用の光信号であるレーザ光を出射するＤＶＤ用レーザダイオード３と、光学系４と、ＣＤやＤＶＤなどの光ディスク６から反射するレーザ光を受光して電気信号に変換するフォトディテクタ回路５と、光ディスク６を回転制御するためのサーボモータ７と、光学系４を介して分光されたレーザ光を電気信号に変換するフロントモニタフォトディテクタ回路10と、各レーザダイオード２，３からレーザ光を出射するための制御信号の生成処理、各フォトディテクタ回路５，10からの出力信号の処理、サーボモータ７への制御信号の生成処理などの各種信号処理を行うＤＳＰ11と、光ディスク装置１全体を制御するコントローラ12などから構成される。なお、光学系４は、レンズ20,21,25〜27と、プリズム22と、スプリッタ23と、反射ミラー24とを含んでいる。
【００２４】
光ディスク装置１において、インターフェイスを介してコントローラ12により記録用のデータを受信すると、コントローラ12は、ＤＳＰ11を制御して、その記録するデータに応じて変調したレーザ光をＣＤ用レーザダイオード２又はＤＶＤ用レーザダイオード３から出射させる。
【００２５】
ＣＤ用レーザダイオード２から出射されたレーザ光は、レンズ21及びプリズム22を介して、スプリッタ23に入射する。同様に、ＤＶＤ用レーザダイオード３から出射されたレーザ光は、レンズ20及びプリズム22を介して、スプリッタ23に入射する。
【００２６】
スプリッタ23に入射したレーザ光は、このスプリッタ23によって、反射ミラー24方向とフロントモニタフォトディテクタ回路10方向へと分光される。反射ミラー24方向へ分光したレーザ光は、反射ミラー24での反射によってその光の方向が変更され、レンズ25によってコリメートされた後、レンズ27によって集光されて、光ディスク６に照射される。
【００２７】
光ディスク６に照射され、この光ディスク６で反射したレーザ光は、レンズ25,26、反射ミラー24、スプリッタ23、レンズ27を介して、フォトディテクタ回路５で受光される。また、光ディスク６に書き込まれたデータを読み取るときには、読み取りのためのレーザ光をＣＤ用レーザダイオード２又はＤＶＤ用レーザダイオード３から出射する。以降上記と同様の経路で、分光されたレーザ光がフロントモニタフォトディテクタ回路10で受光され、光ディスク６で反射されたレーザ光がフォトディテクタ回路５で受光される。
【００２８】
フォトディテクタ回路５で受光されたレーザ光は、フォトディテクタ回路５によって電気信号に変換され、ＤＳＰ11へ送信される。ＤＳＰ11は、フォトディテクタ回路５から送信される電気信号に基づいて、フォーカスサーボやトラッキングサーボなどの制御等を行う。また、フロントモニタフォトディテクタ回路10で受光されたレーザ光は、フロントモニタフォトディテクタ回路10によって電気信号に変換され、ＤＳＰ11へ送信される。ＤＳＰ11は、フロントモニタフォトディテクタ回路10から送信される電気信号に基づいて、各レーザダイオード２，３から出射されるレーザ光の強度を検出し、各レーザダイオード２，３から出射するレーザ光の強度を調整する。
【００２９】
次に、フォトディテクタ回路５を構成する光電変換回路30及び信号処理回路40について図面を参照して具体的に説明する。このフォトディテクタ回路５は、ＣＯＢ（chip on board）パッケージに収納されている。なお、パッケージとしてＣＯＢパッケージに代え、透明モールドパッケージ等を用いることもできる。図２は本実施形態におけるフォトディテクタ回路５の４分割受光面を示す図、図３は本実施形態における光電変換回路30の構成を示す図、図４は本実施形態における信号処理回路40の構成を示す図である。
【００３０】
まず、光電変換回路30の構成について図２及び図３を参照しながら説明する。
【００３１】
光電変換回路30は、図２に示すように、その受光面がＡ，Ｂ，Ｃ，Ｄの４つに分割されており、受光面Ａ，Ｂ，Ｃ，Ｄにそれぞれ設けられたフォトダイオードＰＤ１ａ〜ＰＤ１ｄで受光された反射光に応じた電圧信号ＳｉｇＡ〜ＳｉｇＤをそれぞれ出力する光電変換ブロック31Ａ〜31Ｄを備えている。
【００３２】
光電変換ブロック31Ａは、差動アンプＡＭＰ１ａ，ＡＭＰ２ａと、抵抗Ｒ１ａ〜Ｒ５ａとから構成されおり、フォトダイオードＰＤ１ａに流れる電流信号Ｉｐｄ１ａを差動アンプＡＭＰ１ａにより電圧信号Ｖｉｖに変換し、さらに差動アンプＡＭＰ２ａによって所定の増幅率（＝１＋Ｒ５ａ／Ｒ４ａ）で増幅した信号ＳｉｇＡを出力する。なお、Ｒ１ａ＝Ｒ２ａ、Ｒ３ａ＝Ｒ４ａ//Ｒ５ａである。また、光電変換ブロック31Ｂ〜31Ｄも光電変換ブロック31Ａと同様の構成をとっており、それぞれ信号ＳｉｇＢ〜ＳｉｇＤを出力する。
【００３３】
以上のように光電変換回路30では、受光面が４つに分割され、光ディスク６からの反射光を受光してそれぞれ分割された受光面に対応した複数の電気的な信号ＳｉｇＡ〜ＳｉｇＤを出力するようにしており、信号ＳｉｇＡ〜ＳｉｇＤの大きさはそれぞれ入射される反射光の強さにより決まる。
【００３４】
次に、信号処理回路40の構成について図４を参照しながら説明する。
【００３５】
信号処理回路40は、光電変換回路30から出力される複数の信号ＳｉｇＡ〜ＳｉｇＤを合成した入力信号の電圧と基準電圧とをそれぞれ入力し、これらの電圧間の差に応じた電流Ｉａを差動出力する第１ノードＴ１及び第２ノードＴ２を有する差動アンプ41と、第１ノードＴ１に抵抗Ｒ15（第１負荷の一例に相当）を介して接続される第１電圧Ｖ１を出力する第１電圧源42と、第２ノードＴ２に抵抗Ｒ16（第２負荷の一例に相当）を介して接続される第２電圧Ｖ２を出力する第２電圧源43と、第１ノードＴ１及び第２ノードＴ２の電圧をそれぞれドライブ（電流増幅）する出力段44とを備えており、ＲＦ＋信号及びＲＦ−信号を同一の差動アンプ41で生成することができるものである。
【００３６】
差動アンプ41は、第１トランジスタＱ１と第２トランジスタＱ２からなる一対のトランジスタと、これらのトランジスタＱ１，Ｑ２のエミッタとグランドＧＮＤとの間にそれぞれ接続された第１定電流源Ｉ１及び第２定電流源Ｉ２と、トランジスタＱ１，Ｑ２のエミッタ間に接続された抵抗Ｒ13と、第１，第２トランジスタＱ１,Ｑ２のコレクタと電源電圧Ｖｄｄとの間にそれぞれ接続された第３定電流源Ｉ３及び第４定電流源Ｉ４と、第１，第２トランジスタＱ１,Ｑ２のコレクタとグランドＧＮＤとの間にそれぞれ接続された第５定電流源Ｉ５及び第６定電流源Ｉ６とを備えている。
【００３７】
また、差動アンプ41には、信号ＳｉｇＡ〜ＳｉｇＤをそれぞれ入力するための入力抵抗Ｒ６〜Ｒ９が第１トランジスタＱ１のベースに接続されており、これにより第１トランジスタＱ１のベースに入力信号の電圧が入力される。さらに、第２トランジスタＱ２のベースには抵抗Ｒ14を介して基準電圧Ｖｃが入力され、第１トランジスタＱ１のコレクタが第１ノードＴ１に、第２トランジスタＱ２のコレクタが第２ノードＴ２となっている。
【００３８】
第１電圧源42は、ボルテージフォロアを構成するアンプＡＭＰ７の入力に第１電圧Ｖ１が接続された構成をとり、第２電圧源43は、ボルテージフォロアを構成するアンプＡＭＰ８の入力に第２電圧Ｖ２が接続された構成をとる。
【００３９】
出力段44は、トランジスタＱ３〜Ｑ６及び定電流源Ｉ８〜Ｉ11とを有しており、第１ノードＴ１の電圧をドライブして電流増幅し、ＲＦ＋信号として出力する。また、第２ノードＴ２の電圧をドライブして電流増幅し、ＲＦ−信号として出力する。この出力段44は、以下のように構成される。
【００４０】
トランジスタＱ３のベースは第１ノードＴ１に接続され、トランジスタＱ４のベースは第２ノードＴ２に接続される。トランジスタＱ３のエミッタは定電流源Ｉ８の一端に接続されると共にトランジスタＱ５のベースに接続される。トランジスタＱ４のエミッタは定電流源Ｉ９の一端に接続されると共にトランジスタＱ６のベースに接続される。トランジスタＱ５のエミッタは定電流源Ｉ10の一端に接続され、トランジスタＱ６のエミッタは定電流源Ｉ11の一端に接続される。トランジスタＱ３，Ｑ４のコレクタ及び定電流源Ｉ10，Ｉ11の他端はグランドＧＮＤに接続され、トランジスタＱ５，Ｑ６のコレクタ及び定電流源Ｉ８，Ｉ９の他端は電源電圧Ｖｄｄに接続される。
【００４１】
ここで、第３定電流源Ｉ３の電流値は、第１定電流源Ｉ１と第５定電流源Ｉ５の電流値とを加算した値（Ｉ３＝Ｉ１＋Ｉ５）であり、第４定電流源Ｉ４の電流値は、第２定電流源Ｉ２と第６定電流源Ｉ６の電流値とを加算した値（Ｉ４＝Ｉ２＋Ｉ６）である。また、抵抗Ｒ６〜Ｒ９は同一抵抗値であり、抵抗Ｒ14は抵抗Ｒ６を４で除した抵抗値（Ｒ１４＝Ｒ６／４）である。
【００４２】
このように本実施形態における差動アンプ41は、一方の入力に信号ＳｉｇＡ〜ＳｉｇＤの合成信号を入力し、他方の入力に信号ＳｉｇＡ〜ＳｉｇＤの直流動作点と同じ電圧である基準電圧Ｖｃを入力しており、この２つの入力の電圧差を抵抗Ｒ13により電流値Ｉａの電流へ電流変換する。上述のようにＩ３＝Ｉ１＋Ｉ５、Ｉ４＝Ｉ３＋Ｉ６であるため、図４に示すように、Ｉｂ＝Ｉｃ（＝Ｉａ）の電流が発生する。これらの電流Ｉｂ、Ｉｃにより抵抗Ｒ15、Ｒ16に電圧が発生し、第１ノードＴ１及び第２ノードＴ２の電圧が変化する。出力段44は、第１ノードＴ１及び第２ノードＴ２の電圧をドライブしてＲＦ＋信号及びＲＦ−信号として出力する。
【００４３】
また、信号ＳｉｇＡ〜ＳｉｇＤの入力が無ければ、電流Ｉａが発生しないため、電流Ｉｂ、Ｉｃも発生せず、Ｖ１、Ｖ２の電圧がそれぞれＲＦ＋信号の電圧、ＲＦ−信号の電圧となる。
【００４４】
このように、第１ノードＴ１に第１電圧Ｖ１を抵抗Ｒ15を介して印加し、第２ノードＴ２に第２電圧Ｖ２を抵抗Ｒ16を介して印加するように構成しているために、電圧Ｖ１、Ｖ２の設定により、ＲＦ＋信号とＲＦ−信号とで異なる直流動作点とすることができ、ＲＦ＋信号及びＲＦ−信号のダイナミックレンジを広げることができる。
【００４５】
また、抵抗Ｒ15、Ｒ16と抵抗Ｒ13とでＲＦ＋信号及びＲＦ−信号のゲイン（Ｇａｉｎ）が決定される。この差動アンプ41のゲイン式を下記に示す。
【００４６】
【数１】
2008109489.tif 000003
また、信号処理回路40におけるゲイン式は、信号ＳｉｇＡ〜ＳｉｇＤの４入力のため、以下のように差動アンプ41のゲインの１／４倍となる。
【００４７】
【数２】
2008109489.tif 000004
以上のように構成された信号処理回路40の周波数特性（入力信号の周波数と入出力ゲインとの関係を示す特性）を図５に示す。このように本実施形態における信号処理回路40は、同一の差動アンプ41を用いてＲＦ＋信号とＲＦ-信号とを生成しているために、これらの信号は周波数特性や群遅延特性などのＡＣ特性のずれを抑制することができる。
【００４８】
しかも、従来回路ではＲＦ＋回路とＲＦ−回路で異なる差動アンプを持っていたために、差動アンプ２つ分のレイアウト面積が必要となっていたが、本実施形態における信号処理回路40では差動アンプを共通化しているため、レイアウト面積を削減することが可能となる。
【００４９】
さらに、電圧Ｖ１、Ｖ２の設定により、ＲＦ＋信号とＲＦ−信号とで異なる直流動作点とすることができるため、ＲＦ＋信号及びＲＦ−信号のダイナミックレンジを広げることができる。
【００５０】
以上、本発明の実施の形態のうちのいくつかを図面に基づいて詳細に説明したが、これらは例示であり、当業者の知識に基づいて種々の変形、改良を施した他の形態で本発明を実施することが可能である。
【００５１】
例えば、本実施形態においては、定電流源Ｉ５，Ｉ６を設けたが、定電流源Ｉ１とＩ３とを同一電流値にし、定電流源Ｉ２とＩ４とを同一電流値にすることにより、定電流源Ｉ５，Ｉ６を削除するようにしてもよい。
【図面の簡単な説明】
【００５２】
【図１】本発明の一実施形態に係る光ディスク装置の全体的な構成を示した図である。
【図２】本発明の一実施形態に係るフォトディテクタ回路の４分割受光面を示す図である。
【図３】本発明の一実施形態に係るフォトディテクタの構成を示す図である。
【図４】本発明の一実施形態に係る信号処理回路の構成を示す図である。
【図５】本発明の一実施形態に係る信号処理回路の周波数特性を示す図である。
【図６】従来の図信号処理回路の構成を示す図である。
【図７】図６の信号処理回路の周波数特性を示す図である。
【符号の説明】
【００５３】
１  光ディスク装置
３０  光電変換回路
４０  信号処理回路
４１  差動アンプ
４２  第１電圧源
４３  第２電圧源
４４  出力段
Ｑ１  第１トランジスタ
Ｑ２  第２トランジスタ
Ｉ１  第１定電流源
Ｉ２  第２定電流源
Ｉ３  第３定電流源
Ｉ４  第４定電流源
Ｒ６〜Ｒ９，Ｒ１３，Ｒ１５，Ｒ１６  抵抗
【図１】
2008109489.tif 000005
【図２】
2008109489.tif 000006
【図３】
2008109489.tif 000007
【図４】
2008109489.tif 000008
【図５】
2008109489.tif 000009
【図６】
2008109489.tif 000010
【図７】
2008109489.tif 000011